(57)【特許請求の範囲】
【請求項１】
給紙可能な複数種のシートサイズのそれぞれについてシート給紙方向に直交する方向の位置を規制する規制部材を、本体に対して基準位置規定部材によって規定される基準位置からシート給紙方向に直交する方向に移動自在に備えたシート載置装置において、
本体に対する規制部材のシート給紙方向に直交する方向の基準位置を規定する基準位置規定部材を本体におけるシート給紙方向に直交する方向の複数の位置に選択的に移動させる調整部材を設け、
前記基準位置規定部材が、規制部材の移動にともなって回転するとともに本体においてシート給紙方向に直交する方向の所定範囲内に移動自在にされた回転体を含み、前記調整部材が、回転体と同軸上に軸支されて複数の回転位置に択一的に停止するとともに周面において本体に形成されたカムガイド部のシート給紙方向に平行な側面に当接する偏心カムを含むことを特徴とするシート載置装置。
【請求項２】
前記調整部材が、偏心カムの上面に同軸上に固定され、本体のシート載置部の上面から突出することなくシート載置部の上面側に露出する操作部材を含むことを特徴とする請求項１に記載のシート載置装置。
【請求項３】
前記操作部材が、前記基準位置規定部材のシート給紙方向に直交する方向の移動量を、該操作部材の回転量に対応して表記したことを特徴とする請求項２に記載のシート載置装置。
【請求項４】
給紙可能な複数種のシートサイズのそれぞれについてシート給紙方向に直交する方向の位置を規制する規制部材を、本体に対して基準位置規定部材によって規定される基準位置からシート給紙方向に直交する方向に移動自在に備えたシート載置装置において、
本体に対する規制部材のシート給紙方向に直交する方向の基準位置を規定する基準位置規定部材を本体におけるシート給紙方向に直交する方向の複数の位置に選択的に移動させる調整部材を設け、
前記基準位置規定部材が、規制部材の移動にともなって回転するとともに本体においてシート給紙方向に直交する方向の所定範囲内に移動自在にされた回転体を含み、前記調整部材が、回転体の支持部にシート給紙方向に直交する方向に螺合するとともに複数の回転位置に択一的に停止するスクリューを含むことを特徴とするシート載置装置。
【請求項５】
前記調整部材が、スクリューの一端に同軸上に固定され、本体のシート載置部の側面に露出する操作部材を含むことを特徴とする請求項４に記載のシート載置装置。
【請求項６】
前記基準位置規定部材と同一方向に同一量だけ移動するとともに、シート載置部におけるシート給紙方向に直交する方向のシートの端部位置を表示するサイズ表示部材を設けたことを特徴とする請求項２又は４に記載のシート載置装置。
【請求項７】
前記基準位置規定部材と同一方向に同一量だけ移動するとともに、シート載置部における規制部材のシート給紙方向に直交する方向の位置を検出するサイズ検出部材を設けたことを特徴とする請求項２又は４に記載のシート載置装置。
【発明の詳細な説明】
【０００１】
【発明の属する技術分野】
この発明は、複写機、プリンタ及びファクシミリ等の画像形成装置を含むシート処理装置に備えられ、シート処理装置内の所定位置に供給すべきシートを載置するシート載置装置に関し、特に、複数のシートサイズのいずれかのサイズのシートが択一的に載置されるシート載置装置に関する。
【０００２】
【従来の技術】
一般に、画像形成装置のように複数枚のシート状の処理対象物に対して所定の処理を連続して実施するシート処理装置では、装置内部の所定位置に連続してシートを給紙する必要がある。このため、シート処理装置には、複数枚のシートを積載して収納する給紙カセットや給紙トレイ等のシート載置装置が備えられている。このシート載置装置は、給紙方向に直交する方向のシート位置を規制する規制部材を備え、同一のサイズの複数枚のシートを積載して収納する。
【０００３】
一方、シート処理装置にはサイズの異なる複数種のシート対して処理を行うことができるようにしたものがあり、このようなシート処理装置に適用されるシート載置装置では複数のサイズのそれぞれについて給紙方向に直交する方向の載置位置を規制する必要があり、規制部材を複数の位置に配置できるようにしている。特に、シート処理装置に対してシートを給紙方向に直交する方向の中央位置を基準として給紙する中央給紙基準の場合、給紙すべきシートのサイズを変更する時には、シート載置装置において左右の規制部材を同一量だけ互いに反対方向に移動させる必要がある。
【０００４】
また、複数種のサイズのシートに対して択一的に処理を実行するシート処理装置では、互いに異なるサイズのシートを収納する複数のシート載置装置を装着するようにしたものもある。このように複数のシート載置装置のそれぞれからサイズの異なるシートを給紙する場合、各シート載置装置におけるシート給紙方向に直交する基準位置が一致していないと、シート処理装置における処理位置がシートのサイズ毎に異なり、シートに対する処理位置を適正にすることができなくなる。
【０００５】
そこで、従来のシート載置装置では、シート処理装置に複数のシート載置装置を装着する場合、各シート載置装置におけるシート給紙方向に直交する方向の基準位置を正確に一致させるため、シート処理装置における各シート載置装置の装着位置、又は、各シート載置装置における規制部材の配置位置を調整できるようにしている。
【０００６】
【発明が解決しようとする課題】
しかしながら、従来のシート載置装置では、シート処理装置におけるシート載置装置の装着位置、又は、シート載置装置における規制部材の配置位置を調整する作業は、シート処理装置におけるシート載置装置の固定具、又は、シート載置装置における規制部材の固定具を工具を用いて緩めた後にシート位置装置又は規制部材を作業者が目分量で移動させ、工具を用いて固定具を締め付けることによって行われていた。このため、シート載置装置の装着位置又は規制部材の配置位置の必要な移動量を正確に把握することができず、また、固定具の締め付け時にシート載置装置又は規制部材が移動する場合があり、複数のシート載置位置のそれぞれからのシートの給紙位置を正確に一致させることが困難で、調整作業を繰り返し行うことが必要になって作業時間が長時間化する問題がある。
【０００７】
また、シート処理装置に複数装着されるシート載置装置では、規制部材の配置位置に基づいて収納しているシートのサイズを検出したり表示するようにしたものがあるが、シート載置装置内における規制部材の配置位置を調整した場合にサイズの検出結果や表示内容に誤差を生じ、シート処理装置においてシート載置装置に収納されたシートのサイズを誤認識したり、シート載置装置に表示されたサイズが収納しているシートのサイズに一致しなくなる問題がある。
【０００８】
この発明の目的は、規制部材を移動させるべき必要量を正確かつ容易に把握することができるとともに、規制部材の固定時に規制部材の配置位置が移動することがなく、規制部材の配置位置を必要量だけ正確に調整することができ、シートの給紙位置の調整作業を容易かつ短時間で行うことができ、また、規制部材の配置位置が移動することによってもサイズの検出や表示に誤差を生じることのないシート載置装置を提供することにある。
【０００９】
【課題を解決するための手段】
この発明は、上記の課題を解決するための手段として、以下の構成を備えている。
【００１０】
(1) 給紙可能な複数種のシートサイズのそれぞれについてシート給紙方向に直交する方向の位置を規制する規制部材を、本体に対して基準位置規定部材によって規定される基準位置からシート給紙方向に直交する方向に移動自在に備えたシート載置装置において、
本体に対する規制部材のシート給紙方向に直交する方向の基準位置を規定する基準位置規定部材を本体におけるシート給紙方向に直交する方向の複数の位置に選択的に移動させる調整部材を設け、
前記基準位置規定部材が規制部材の移動にともなって回転するとともに本体においてシート給紙方向に直交する方向の所定範囲内に移動自在にされた回転体を含み、前記調整部材が回転体と同軸上に軸支されて複数の回転位置に択一的に停止するとともに周面において本体に形成されたカムガイド部のシート給紙方向に平行な側面に当接する偏心カムを含むことを特徴とする。
【００１１】
この構成においては、シートの給紙方向を規制する規制部材の基準位置を規定する基準位置規定部材が、調整部材によって本体におけるシート給紙方向に直交する方向の複数の位置に択一的に移動する。調整部材には基準位置規定部材の移動量に対応した値が表記されている。したがって、調整部材に表記された値に対応してシート給紙方向に直交する方向の複数の位置のいずれかに基準位置規定部材が移動すると、これにともなって規制部材のシート給紙方向に直交する方向への移動の基準位置が変位し、基準位置の調整が容易かつ正確に行われる。
【００１３】
また、偏心カムの周面においてカムガイド部のシート給紙方向に平行な側面に当接する部分と偏心カムの回転中心との距離に応じて、規制部材の基準位置を規定する回転体のシート給紙方向に直交する方向の位置が変化する。したがって、偏心カムを他の回転位置まで回転させると、規制部材のシート給紙方向に直交する方向への移動の基準位置が変位し、基準位置の調整が偏心カムの回転のみによって容易かつ正確に行われる。
【００１４】
(2) 前記調整部材が、偏心カムに同軸上に固定され、本体のシート載置部の上面から突出することなくシート載置部の上面側に露出する操作部材を含むことを特徴とする。
【００１５】
この構成においては、偏心カムを回転させる際に操作される操作部材が、シート載置部の上面側に、シートの底面に接触しない状態で露出する。したがって、規制部材のシート給紙方向に直交する方向への移動の基準位置の調整作業がシート載置面の上面側において容易に行われるとともに、操作部材がシートの給紙の障害となることがない。
(3) 前記操作部材が、前記基準位置規定部材のシート給紙方向に直交する方向の移動量を、該操作部材の回転量に対応して表記したことを特徴とする。
この構成においては、基準位置規定部材のシート給紙方向に直交する方向の移動量が回転量に対応して操作部材に表記される。
【００１６】
(4) 給紙可能な複数種のシートサイズのそれぞれについてシート給紙方向に直交する方向の位置を規制する規制部材を、本体に対して基準位置規定部材によって規定される基準位置からシート給紙方向に直交する方向に移動自在に備えたシート載置装置において、
本体に対する規制部材のシート給紙方向に直交する方向の基準位置を規定する基準位置規定部材を本体におけるシート給紙方向に直交する方向の複数の位置に選択的に移動させる調整部材を設け、
前記基準位置規定部材が、規制部材の移動にともなって回転するとともに本体においてシート給紙方向に直交する方向の所定範囲内に移動自在にされた回転体を含み、前記調整部材が、回転体の支持部にシート給紙方向に直交する方向に螺合するとともに複数の回転位置に択一的に停止するスクリューを含むことを特徴とする。
【００１７】
この構成においては、スクリューの回転位置に応じて、規制部材の基準位置を規定する回転体の支持部がシート給紙方向に直交する方向の位置が変化する。したがって、スクリューを他の回転位置まで回転させると、規制部材のシート給紙方向に直交する方向への移動の基準位置が変位し、基準位置の調整がスクリューの回転のみによって容易かつ正確に行われる。
【００１８】
（５）  前記調整部材が、スクリューの一端に同軸上に固定され、本体のシート載置部の側面に露出する操作部材を含むことを特徴とする。
【００１９】
この構成においては、スクリューを回転させる際に操作される操作部材が、シート載置部の側面の外側に露出する。したがって、規制部材のシート給紙方向に直交する方向への移動の基準位置の調整作業がシート載置面の外部において容易に行われ、調整作業時にシート載置部からシートを除去する必要がない。
【００２０】
（６）  前記基準位置規定部材と同一方向に同一量だけ移動するとともに、シート載置部におけるシート給紙方向に直交する方向のシートの端部位置を表示するサイズ表示部材を設けたことを特徴とする。
【００２１】
この構成においては、規制部材の移動の基準位置を規定する基準位置規定部材と同一方向に同一量だけサイズ表示部材が移動する。したがって、規制部材の基準位置が変位した後においても基準位置とサイズ表示部材との位置関係が変化せず、シート載置部におけるシートの載置位置が正確に表示される。
【００２２】
（７）  前記基準位置規定部材と同一方向に同一量だけ移動するとともに、シート載置部における規制部材のシート給紙方向に直交する方向の位置を検出するサイズ検出部材を設けたことを特徴とする。
【００２３】
この構成においては、規制部材の移動の基準位置を規定する基準位置規定部材と同一方向に同一量だけサイズ検出部材が移動する。したがって、規制部材の基準位置が変位した後においても基準位置とサイズ検出部材との位置関係が変化せず、シート載置部に載置されたシートのサイズが正確に検出される。
【００２４】
【発明の実施の形態】
図１は、この発明の第１の実施形態に係るシート載置装置の構成を示す斜視図である。このシート載置装置１１は、複写機やプリンタ等のシート処理装置の側面に装着される給紙トレイである。シート載置装置１１は、シートの載置部として、本体１１ａとこの本体１１ａに対して出し入れ自在にされた延長部材１４とを備えている。延長部材１４は、本体１１ａにおいてシート処理装置の側面への取付側と反対側の端面において、シート載置部のシート給紙方向の長さを伸縮させるものであり、Ａ３サイズやＢ４サイズ等の大きいサイズのシートを給紙する場合に、本体１１ａから引き出される。
【００２５】
なお、本体１１ａの上面には給紙可能な各サイズのシート給紙方向に平行な側面位置を示す指標を表示するサイズ表示部１５が取り付けられており、一方の規制部材２に表記されたマーク１６をサイズ表示部１５に表示されている指標に一致させることにより、規制部材１及び２が各サイズのシートの側面に当接する位置に配置される。このサイズ表示部１５の構成については後述する。
【００２６】
本体１１ａの上面には、シート載置部におけるシートの載置位置を中央給紙基準となるように規制する規制部材１及び規制部材２が、シート給紙方向に直交する方向における所定の範囲内に移動自在に設けられている。規制部材１及び２は、本体１１ａの底面側に互いに平行に露出したラック６及び７を備えている。ラック６及び７は、本体１１ａの底面に軸支されたピニオンギア１０を挟んで配置され、ともにピニオンギア１０に噛み合っている。このラック６，７及びピニオンギア１０がこの発明の基準位置規定部材であり、ピニオンギア１０が同じく回転体である。
【００２７】
したがって、本体１１ａの上面において規制部材１又は２のいずれか一方を移動させると、その移動がラックギア６又は７及びピニオンギア１０を介して他方の規制部材２又は１に反対方向の移動力として伝達され、他方の規制部材２又は１は一方の規制部材１又は２の移動方向と反対方向に同一の量だけ移動する。これによって、本体１１ａの上面に載置されるシートのサイズが変更された場合にも、中央給紙基準における用紙給紙方向に直交する方向の中央の位置が変化しないようにされている。
【００２８】
上記の規制部材１及び２に取り付けられたラック６及び７が本体１１ａに軸支されたピニオンギア１０に噛合していることから、本体１１ａにおけるピニオンギア１０の軸支位置をシート給紙方向に直交する方向に移動させることにより、本体１１ａにおける規制部材１及び２のシート給紙方向に直交する方向の位置が移動し、中央給紙基準の基準位置も移動する。
【００２９】
このピニオンギア１０の本体１１ａにおける軸支は、保持部材１３のボス部１３ａに固定ネジ５を締結することによってなされる。即ち、本体１１ａの底面側でピニオンギア１０の中心孔が外嵌する保持部材１３のボス部１３ａに対して、本体１１ａに形成されたシート給紙方向に直交する方向の長孔を上面側から貫通した固定ネジ５が螺合することにより、ピニオンギア１０の回転中心となるボス部１３ａの本体１１ａにおける位置が決定される。したがって、本体１１ａの長孔における固定ネジ５の貫通位置を変えることにより、本体１１ａにおけるピニオンギア１０の軸支位置が変化し、本体１１ａにおける規制部材１及び２の位置、並びに、中央給紙基準の基準位置も変化する。
【００３０】
この実施形態に係るシート載置装置１１では、本体１１ａの上面のカムガイド部１２内でピニオンギア１０と同心上に軸支された偏心カム３を介して、固定ネジ５を保持部材１３のボス部１３ａに螺合させている。この構成により、偏心カム３の回転量に応じた所定量だけ長孔における固定ネジ５の貫通位置を変位させることができるようにし、中央給紙基準の基準位置の調整を容易かつ正確に行うことができるようにしている。この偏心カム３が後述するカムガイド部１２とともにこの発明の調整部材に相当する。
【００３１】
これによって、従来のように、ボス部１３ａに対する固定ネジ５の締結状態を緩めた後にボス部１３ａの位置を変位させ、さらに、固定ネジ５をボス部１３ａに締め付けた状態でシートを給紙し、シートに対する処理位置を確認する作業を繰り返す必要がなく、中央給紙基準の基準位置の調整作業を容易かつ短時間化することができる。
【００３２】
図２は、上記シート載置装置における調整部材の構成を示す断面図である。本体１１ａの上面において、固定ネジ５が配置される部分には、矩形の凹状を呈するカムガイド部１２が形成されている。カムガイド部１２の底面には、シート給紙方向に直交する方向に長手方向を一致させた長孔１２ａが形成されている。このカムガイド部１２に偏心カム３が上方から嵌入し、偏心カム３の周面がカムガイド部１２のシート給紙方向に平行な２側面に当接するとともに、偏心カム３の底面から突出した軸部３ａが長孔１２ａ内に嵌入する。
【００３３】
偏心カム３の上面には中心に凹部３ｃを有するフランジ状の調整ダイヤル４が一体的に形成されている。この発明の操作部材である調整ダイヤル４は、本体１１ａの上面側に突出しないようにされている。また、偏心カム３の底面には中心に孔部３ｂを有する軸部３ａが突出している。固定ネジ５は、本体１１ａの上面側からカムガイド部１２内に嵌入した偏心カム３の凹部３ｃ及び中心孔３ｂを貫通してボス部１３ａに形成されたネジ孔に螺合する。これによって、固定ネジ５を介して調整ダイヤル４の底面とボス部１３ａの上面との間に本体１１ａが挟持され、ボス部１３ａに外嵌したピニオンギア１０の本体１１ａにおける軸支位置が規定されている。この状態で、偏心カム３は、本体１１ａに対して固定ネジ５が貫通する孔部３ｂ及び凹部３ｃの中心を回転中心として回転自在にされている。
【００３４】
このように構成された調整部材において、カムガイド部１２内において偏心カム３を回転させると、偏心カム３の周面においてカムガイド部１２の側面に当接する位置が変化する。ここで、偏心カム３の周面を構成する円弧は、偏心カム３の回転中心に対して偏心しているため、偏心カム３における回転中心から周面の各部までの距離は一定ではない。したがって、偏心カム３の回転によって偏心カム３の周面におけるカムガイド部１２の側面との当接位置が変化すると、カムガイド部１２の側面から偏心カム３の回転中心までの距離が変化する。
【００３５】
上述のように、偏心カム３の回転中心である孔部３ｂ及び凹部３ｃの中心位置は、ボス部１３ａに螺合する固定ネジ５の中心位置に一致している。また、カムガイド部１２は、偏心カム３の周面が当接する２側面をシート給紙方向に平行にして本体１１ａの上面に一体的に形成されている。このため、カムガイド部１２の側面から偏心カム３の回転中心までの距離が変化すると、本体１１ａにおける固定ネジ５及びボス部１３ａのシート給紙方向に直交する方向の位置が変化し、これによってボス部１３ａに外嵌したピニオンギア１０、ピニオンギア１０に噛合するラックギア６，７、及び、ラックギア６，７を備えた規制部材１，２の本体１１ａにおけるシート給紙方向に直交する方向の位置も変位する。
【００３６】
図３は、上記調整部材における調整状態を説明する図である。図３（Ａ）〜（Ｃ）のそれぞれは、調整ダイヤル４の回転量を示す平面図、カムガイド部１２における偏心カム３の位置を示す断面図、及び、長孔１２ａにおける軸部３ａの位置を示す断面図を上から順に配置したものである。図３（Ａ）〜（Ｃ）に示すように、調整ダイヤル４の上面には、円周を一例として１２等分する目盛４ａ、及び、各目盛４ａに対応した補正値４ｂが表記されている。また、偏心カム３の周面は、カムガイド部１２におけるシート給紙方向に平行な２側面１２ｂ，１２ｃの間隔を直径とする単一の円によって構成されている。さらに、偏心カム３の軸部３ａの直径は、長孔１２ａにおけるシート給紙方向に直交する方向の２側面１２ｄ，１２ｅの間隔に略一致している。
【００３７】
したがって、軸部３ａの周面は長孔１２ａの２側面１２ｄ，１２ｅに常時当接しており、軸部３ａ及び固定ネジ５は本体１１ａに対して長孔１２の長手方向、即ち、シート給紙方向に直交する方向にのみ移動可能にされている。このため、調整ダイヤル４とともに偏心カム３をカムガイド部１２内において回転させ、偏心カム３の周面におけるカムガイド部１２の側面１２ｂ，１２ｃとの当接部分を変化させると、偏心カム３の回転中心である軸部３ａ及び固定ネジ５の中心位置は、カムガイド部１２内においてシート給紙方向に直交する方向にのみ変位し、シート給紙方向には変位しない。
【００３８】
このように構成された調整部材において、調整ダイヤル４のいずれかの目盛４ａを本体１１ａの上面に表記された指標２０に合わせると、その目盛４ａに対応する補正値４ｂだけ、固定ネジ５が本体１１ａに対してシート給紙方向に直交する方向に移動する。即ち、図３（Ａ）に示すように、調整ダイヤル４の補正値０に対応する目盛４ａを指標２０に一致させると、カムガイド部１２内において偏心カム３の回転中心から側面１２ｂ，１２ｃのそれぞれまでの距離が等しくなり、軸部３ａは長孔１２の長手方向の略中央に位置する。
【００３９】
図３（Ａ）に示す状態から調整ダイヤル４を回転させ、調整ダイヤル４の補正値＋１〜＋３に対応する目盛４ａを指標２０に一致させると、カムガイド部１２内において偏心カム３の回転中心から側面１２ｂまでの距離が側面１２ｃまでの距離よりも長くなり、軸部３ａは長孔１２の長手方向における中央部よりも右側に移動する。同図（Ｂ）に示すように、調整ダイヤル４の補正値＋３に対応する目盛４ａを指標２０に一致させた時には、カムガイド部１２内において偏心カム３の回転中心から側面１２ｂまでの距離と側面１２ｃまでの距離との差が最も大きくなり、軸部３ａは長孔１２の長手方向における最も右側に位置する。
【００４０】
図３（Ａ）に示す状態から調整ダイヤル４を回転させ、調整ダイヤル４の補正値−１〜−３に対応する目盛４ａを指標２０に一致させると、カムガイド部１２内において偏心カム３の回転中心から側面１２ｂまでの距離が側面１２ｃまでの距離よりも短くなり、軸部３ａは長孔１２の長手方向における中央部よりも左側に移動する。同図（Ｃ）に示すように、調整ダイヤル４の補正値−３に対応する目盛４ａを指標２０に一致させた時には、カムガイド部１２内において偏心カム３の回転中心から側面１２ｂまでの距離と側面１２ｃまでの距離との差が最も大きくなり、軸部３ａは長孔１２の長手方向における最も左側に位置する。
【００４１】
ここで、調整ダイヤル４に表記された補正値４ｂの値は、軸部３ａの長孔１２ａ内における長手方向の中央部からの移動量（ｍｍ）に一致しており、調整ダイヤル４において指標２０に一致する目盛４ａに対応した補正値４ｂの値だけ、軸部３ａが長孔１２の長手方向の中央部から左右に移動する。即ち、軸部３ａの長孔１２ａ内における位置は、図３（Ｂ）に示す状態では同図（Ａ）に示す中央部の位置から右側に３ｍｍ変位し、同図（Ｃ）に示す状態では同図（Ａ）に示す中央部の位置から左側に３ｍｍ変位している。
【００４２】
なお、調整ダイヤル４及び本体１１ａには、図示しない係合部材が互いに係合自在に備えられており、調整ダイヤル４は目盛４ａのそれぞれが指標２０に一致する回転位置において回転を停止できるようにされている。
【００４３】
以上の構成により、本体１１ａの上面に露出している調整ダイヤル４を回転させ、調整ダイヤル４に表記された目盛４ａのいずれかを指標２０に一致させることにより、指標２０に一致する目盛４ａに対応した補正値４ｂだけ、偏心カム３の軸部３ａ、固定ネジ５及びボス部１３ａとともに、規制部材１，２のシート給紙方向に直交する方向の位置を規定するピニオンギア１０のシート給紙方向に直交する方向の位置を変位させることができる。
【００４４】
したがって、シート載置装置１１からシート処理装置に給紙したシートにおけるシート給紙方向に直交する方向についての処理位置の誤差を測定し、指標２０に一致する目盛４ａが対応する補正値４ｂを誤差の測定値分だけ増減変化するように調整ダイヤル４を回転させるだけで、シート載置装置１１からのシートの給紙位置を容易かつ正確に調整することができる。
【００４５】
また、調整ダイヤル４は本体１１ａの上面に突出していないため、シート載置部に載置したシートの底面に当接することがなく、シートの給紙の障害となることがない。
【００４６】
なお、調整ダイヤル４における目盛４ａの表記数は１２に限るものではなく、また、各目盛４ａが対応する補正値４ｂも１ｍｍ間隔に限るものではない。
【００４７】
図４は、上記シート載置装置の要部の底面図である。本体１１ａの底面側に配置された保持部材１３には、サイズ表記部材８及びサイズ検出部材９が一体的に形成されている。サイズ表記部材８は、各サイズのシートにおけるシート給紙方向に平行な一方の側面位置を表す目盛を上面に表記したものである（図１参照）。このサイズ表示部材８の上面は、本体１１ａのサイズ表示部１５において本体１１ａの上面に露出する。サイズ表示部１５において本体１１ａの上面に露出したサイズ表示部材８に表記されているいずれかの目盛に規制部材２のマーク１６を一致させることにより、規制部材１，２のシート給紙方向に直交する方向の位置を給紙するシートのサイズに合わせることができる。
【００４８】
また、サイズ検出部材９は、規制部材１に設けられた接点１ａが接触するスライドボリューム３１によって構成されており、シート載置装置１１に載置されたシートのサイズに合わせて移動した規制部材１のシート給紙方向に直交する方向の位置に応じた電気信号をシート処理装置に出力する。シート処理装置は、この電気信号に基づいて、シート載置装置１１において準備されているシートのサイズを認識する。
【００４９】
このように、サイズ表示部材８及びサイズ検出部材９が保持部材１３に一体にされているため、シート給紙方向に直交する方向における基準位置の調整により、本体１１ａにおけるシート給紙方向に直交する方向の規制部材１，２の配置位置がピニオンギア１０の移動にともなって変位した場合に、ボス部１３ａにおいてピニオンギア１０を軸支する保持部材１３とともにサイズ表示部材８及びサイズ検出部材９が規制部材１，２と同一の方向に同一量だけ移動する。したがって、基準位置の調整後においても、サイズ表示部材８によってサイズ毎のシートの側面位置を正確に表示することができ、サイズ検出部材９によってシート載置装置１１に載置されたシートのサイズを正確に検出することができる。
【００５０】
図５は、この発明の第２の実施形態に係るシート載置装置の構成を示す斜視図である。この実施形態に係るシート載置装置２１は、図１〜３に示した第１の実施形態に係るシート載置装置１１に比較して、調整ダイヤル４を一体形成した偏心カム３及びカムガイド部１２に代えて、スライダ１７、調整スクリュー２４及び締付ネジ２５を設けたものであり、その他の構成は第１の実施形態に係るシート載置装置１１と一致している。
【００５１】
図６は、上記シート載置装置の調整部材の構成を示す要部の断面図であり、同図（Ａ）は用紙給紙方向の断面図、同図（Ｂ）は同図（Ａ）における矢印Ｈ方向の断面図である。この実施形態に係るシート載置装置２１の調整部材は、上述のように、本体１１ａのシート給紙方向に平行な一方の側面から底面側に対して、シート給紙方向に直交する方向に貫通して保持部材１３のネジ部１３ｂに螺合する調整スクリュー２４、本体１１ａに対する調整スクリュー２４の回転位置を固定する締付ネジ２５、及び、固定ネジ５を介して保持部材１３のボス部１３ａに固定されるスライダ１７を含む。調整スクリュー２４において本体１１ａの側面から露出した一端にはこの発明の操作部材である調整ダイヤル２６が固定されている。この調整ダイヤル２６の周面には、周面を等分する目盛２６ａ、及び、各目盛２６ａに対応した補正値２６ｂが表記されている。スライダ１７は、本体１１ａの底面に形成されたスライダガイド部２７内においてシート給紙方向に直交する方向に所定範囲内で移動自在にされている。
【００５２】
この構成において、締付ネジ２５を緩めて調整ダイヤル２６を操作して調整スクリュー２４を回転させると、ネジ部１３ｂにおいて調整スクリュー２４に螺合する保持部材１３は、固定ネジ５を介して保持部材１３に固定されたスライダ１７によって規定される移動方向、即ち、シート給紙方向に直交する方向に移動する。第１の実施形態に係るシート載置装置１１と同様に、シート載置装置２１においても保持部材１３のボス部１３ａには、規制部材１，２のシート給紙方向に直交する方向の位置を規定するピニオンギア１０の中心孔が外嵌している。したがって、調整ダイヤル２６を回転させることにより、規制部材１，２のシート給紙方向に直交する方向の位置が移動する。
【００５３】
したがって、シート載置装置２１からシート処理装置に対して給紙したシートにおけるシート給紙方向に直交する方向についての処理位置の誤差を測定し、本体１１ａの側面に表記された指標に一致する目盛２６ａに対応した補正値が誤差の測定値分だけ増減するように締付ネジ２５を緩めて調整ダイヤル２６を回転させた後、締付ネジ２５を締め付けることにより、シート載置装置１１からのシートの給紙位置を容易かつ正確に調整することができる。
【００５４】
なお、締付ネジ２５に代えて、調整ダイヤル２６及び本体１１ａに互いに係合する係合部材を設け、調整ダイヤル２６の回転を各目盛２６ａと指標とが一致する位置で停止させるようにしてもよい。この係合部材としては、例えば、図７（Ａ）に示すように調整ダイヤル２６の内側面における目盛２６ａのそれぞれに対応する位置に形成した溝部２８と、図７（Ｂ）に示すように溝部２８のそれぞれに弾性的に嵌合する状態で本体１１ａに取り付けられたラッチ２９と、を用いることができる。これによって、調整ダイヤル２６を各目盛２６ａが指標に一致する回転位置で容易かつ確実に停止させることかできる。
【００５５】
また、上記の実施形態では、いずれも、シート給紙方向に直交する方向の中央部をシート給紙方向の基準位置とする中央給紙基準のシート載置装置を例にあげて説明したが、シート給紙方向に直交する方向の一端側を基準位置とする片側給紙基準のシート載置装置においても、基準位置側の規制部材をピニオンギアとともに本体に対してシート給紙方向に直交する方向に移動できるようにしておくことにより、この発明を同様に実施することができる。
【００５６】
【発明の効果】
この発明は、以下の効果を奏することができる。
【００５７】
(1) シートの給紙方向を規制する規制部材の基準位置を規定する基準位置規定部材を、調整部材によって本体におけるシート給紙方向に直交する方向の複数の位置に択一的に移動させることにより、これにともなって規制部材のシート給紙方向に直交する方向への移動の基準位置を変位させ、基準位置の調整を容易かつ正確に行うことができる。これによって、シートの給紙位置の調整作業を容易かつ短時間で行うことができる。
また、偏心カムの周面においてカムガイド部のシート給紙方向に平行な側面に当接する部分と偏心カムの回転中心との距離に応じて、規制部材の基準位置を規定する回転体のシート給紙方向に直交する方向の位置を変化させることにより、偏心カムを他の回転位置まで回転させ、規制部材のシート給紙方向に直交する方向への移動の基準位置を変位させることができ、基準位置の調整を偏心カムの回転のみによって容易かつ正確に行うことができる。
【００５９】
(2) 偏心カムを回転させる際に操作される操作部材を、シート載置部の上面側に、シートの底面に接触しない状態で露出させることにより、規制部材のシート給紙方向に直交する方向への移動の基準位置の調整作業をシート載置面の上面側において容易に行うことができるとともに、操作部材がシートの給紙の障害となることがない。
(3) 基準位置規定部材のシート給紙方向に直交する方向の移動量を回転量に対応して操作部材に表記したことにより、給紙したシートにおけるシート給紙方向に直交する方向についての処理位置の誤差を測定し、この誤差に対応した回転量だけ調整部材を回転させることによって、シートの給紙位置を容易かつ正確に調整することができる。
【００６０】
（４）  スクリューの回転位置に応じて、規制部材の基準位置を規定する回転体の支持部がシート給紙方向に直交する方向の位置を変化させることにより、スクリューを他の回転位置まで回転させ、規制部材のシート給紙方向に直交する方向への移動の基準位置を変位させることができ、基準位置の調整をスクリューの回転のみによって容易かつ正確に行うことができる。
【００６１】
（５）  スクリューを回転させる際に操作される操作部材を、シート載置部の側面の外側に露出させることにより、規制部材のシート給紙方向に直交する方向への移動の基準位置の調整作業をシート載置面の外部において容易に行うことができ、調整作業時にシート載置部からシートを除去する必要がない。
【００６２】
（６）  規制部材の移動の基準位置を規定する基準位置規定部材と同一方向に同一量だけサイズ表示部材を移動させることにより、規制部材の基準位置を変位させた後においても基準位置とサイズ表示部材との位置関係が変化しないようにすることができ、シート載置部におけるシートの載置位置を常に正確に表示することができる。
【００６３】
(7) 規制部材の移動の基準位置を規定する基準位置規定部材と同一方向に同一量だけサイズ検出部材を移動させることにより、規制部材の基準位置を変位させた後においても基準位置とサイズ検出部材との位置関係が変化しないようにすることができ、シート載置部に載置されたシートのサイズを常に正確に検出することができる。
【図面の簡単な説明】
【図１】この発明の第１の実施形態に係るシート載置装置の構成を示す斜視図である。
【図２】上記シート載置装置における調整部材の構成を示す断面図である。
【図３】上記調整部材における調整状態を説明する図である。
【図４】上記シート載置装置の要部の底面図である。
【図５】この発明の第２の実施形態に係るシート載置装置の構成を示す斜視図である。
【図６】上記シート載置装置の調整部材の構成を示す要部の断面図である。
【図７】上記シート載置装置の調整部材における別の構成を示す図である。
【符号の説明】
１，２−規制部材
３−偏心カム
４−調整用ダイヤル
５−固定ネジ
６、７−ラックギア
１０−ピニオンギア
１１−シート載置装置
１１ａ−ボス部
１２−カムガイド部
１３−保持部材
【図１】
0003614752.tif 000002
【図２】
0003614752.tif 000003
【図３】
0003614752.tif 000004
【図４】
0003614752.tif 000005
【図５】
0003614752.tif 000006
【図６】
0003614752.tif 000007
【図７】
0003614752.tif 000008